(57)【要約】【課題】操舵性に影響を与えることなく、転舵輪に入力された微小な振動等がステアリングホイールへと伝達されるのを抑制し得るパワーステアリング装置を提供する。【解決手段】パワーシリンダ４の液圧をもって転舵輪に対して操舵アシスト力を付与するパワーステアリング装置につき、前記パワーシリンダ４において、ピストンロッドとしてのラック軸５の外周に固設されたピストン１３によってシリンダチューブ１０の内部に隔成された一対の圧力室Ｐ１，Ｐ２の外端部をシールする第１シール部材１１及び第２シール部材１２の内周部外側に、前記各圧力室Ｐ１，Ｐ２のシールに供するシールリップ１１ｂ，１２ｂとは別に、ラック軸５外周面と摺接することにより当該ラック軸５に摺動抵抗を付与するフリクションリップ１１ｃ，１２ｃを延設するようにした。【選択図】図２
2012218541.tif 000002
【特許請求の範囲】
【請求項１】
ステアリングホイールに入力された操舵トルクに基づいて制御されるパワーシリンダの液圧をもって転舵輪に対し操舵アシスト力を付与するパワーステアリング装置であって、
前記パワーシリンダは、ほぼ筒状に形成されたシリンダチューブと、
該シリンダチューブ内を一対の圧力室に隔成するピストンと、
該ピストンと一体移動可能に設けられ、前記一対の圧力室間の差圧に基づく推力をもって軸方向移動することで前記転舵輪を転舵させるピストンロッドと、
前記シリンダチューブの軸方向一端側において当該シリンダチューブと前記ピストンロッドの間に配置され、その内周部に設けられた前記ピストンロッドと摺接するシールリップをもって前記ピストンと共に一方の圧力室内の作動液を保持する第１シール部材と、
前記シリンダチューブの軸方向他端側において当該シリンダチューブと前記ピストンロッドの間に配置され、その内周部に設けられた前記ピストンロッドと摺接するシールリップをもって前記ピストンと共に他方の圧力室内の作動液を保持する第２シール部材と、
前記第１シール部材又は前記第２シール部材の軸方向外側に当該シール部材と一体又は別体に設けられたフリクションリップによって構成され、前記ピストンロッドの外周面と摺接することによって当該ピストンロッドに摺動抵抗を付与する摺動抵抗付与手段と、を有することを特徴としたパワーステアリング装置。
【請求項２】
前記摺動抵抗付与手段は前記ピストンロッドを包囲する環状に形成され、前記フリクションリップと前記第１シール部材又は前記第２シール部材のシールリップとの間にはグリスが保持されることを特徴とする請求項１に記載のパワーステアリング装置。
【発明の詳細な説明】
【技術分野】
【０００１】
本発明は、例えば自動車に用いられ、液圧により操舵アシストを行うパワーステアリング装置に関する。
【背景技術】
【０００２】
従来のパワーステアリング装置としては、例えば以下の特許文献１に記載されたものが知られている。
【０００３】
概略を説明すれば、このパワーステアリング装置は、筒状に構成されたハウジングの内周側に、その一端側がステアリングホイールと一体回転可能に連係される入力軸と、その一端側がトーションバーを介して前記入力軸の他端側に相対回転可能に連結される一方、その他端側がいわゆるラック・ピニオン機構を介して転舵輪に連係される出力軸と、が収容配置されていて、前記入力軸の外周側に、当該入力軸に摺動抵抗を付与する摺動抵抗付与手段を設けることで、走行中に外部（路面）から入力された微小な振動等がステアリングホイールへと伝達される不都合を抑制するようになっている。
【先行技術文献】
【特許文献】
【０００４】
【特許文献１】特開２００９−１３２１９３号公報
【発明の概要】
【発明が解決しようとする課題】
【０００５】
しかしながら、前記従来のパワーステアリング装置では、前記入力軸に対し摺動抵抗を付与する構成となっていることから、転舵輪に入力された路面からの振動等がステアリングホイールへと伝達されるのを抑制できる一方で、操舵入力時にも摺動抵抗が付与されてしまうため、操舵性が悪化してしまうという問題があった。
【０００６】
本発明は、かかる技術的課題に鑑みて案出されたものであり、操舵性に影響を与えることなく、転舵輪に入力された微小な振動等がステアリングホイールへと伝達されるのを抑制し得るパワーステアリング装置を提供するものである。
【課題を解決するための手段】
【０００７】
本願発明は、ステアリングホイールに入力された操舵トルクに基づいて制御されるパワーシリンダの液圧をもって転舵輪に対して操舵アシスト力を付与するパワーステアリング装置につき、とりわけ、前記パワーシリンダにおいて、第１シール部材又は第２シール部材の軸方向外側に当該シール部材と一体又は別体に設けたフリクションリップにより構成されてピストンロッドの外周面と摺接することで当該ピストンロッドに摺動抵抗を付与する摺動抵抗付与手段を設けたことを特徴としている。
【０００８】
なお、この際、前記フリクションリップと前記各シール部材のシールリップとの間にはグリスを保持させることが望ましい。
【発明の効果】
【０００９】
本願発明によれば、パワーシリンダに係るピストンロッドとの摺接をもって摺動抵抗を付与する摺動抵抗付与手段を設けたことにより、転舵輪からの入力に対しては有効に作用する一方で、ステアリングホイールからの入力に対してはパワーシリンダの液圧をもって相殺することができるため、操舵感を損なうおそれがない。
【００１０】
また、フリクションリップとシールリップの間にグリスを保持させることで、フリクションリップの摩耗の低減や当該リップの摺接に伴う異音の発生を抑制することが可能となる。これにより、前記フリクションリップによる摺動抵抗付与の実効を図ることができる。
【図面の簡単な説明】
【００１１】
【図１】本発明に係るパワーステアリング装置の外観を表す斜視図である。
【図２】本発明の第１実施形態を表した図１に示すパワーシリンダの断面図である。
【図３】図２に示すシール部材単体を表した斜視図である。
【図４】本発明の第２実施形態を表した図１に示すパワーシリンダの断面図である。
【図５】図４に示すフリクション部材単体を表した斜視図である。
【図６】本発明の第３実施形態を表した図１に示すパワーシリンダの断面図である。
【図７】図６に示すフリクション部材単体を表した斜視図である。
【発明を実施するための形態】
【００１２】
以下、本発明に係るパワーステアリング装置の各実施形態を図面に基づいて詳述する。なお、下記の実施形態では、本発明に係るパワーステアリング装置を、従来と同様に、自動車の油圧式パワーステアリング装置に適用したものを示している。
【００１３】
図１〜図３は本発明に係るパワーステアリング装置の第１実施形態を示しており、このパワーステアリング装置は、図１に示すように、その一端側が図外のステアリングホイールと一体回転可能に連係される入力軸１とこれにトーションバー（図示外）を介して相対回転可能に連結される図外の出力軸とが収容されるギヤボックス２と、該ギヤボックス２の下端部に設けられ、車体幅方向の一端側（図１中の右側）に延出するラックハウジング３と、該ラックハウジング３の車体幅方向の一端部に接合されたパワーシリンダ４と、を備えている。
【００１４】
前記ギヤボックス２内には、入力軸１と前記図外の出力軸とが径方向に重合するかたちで連結されることによって、当該重合部にいわゆるロータリバルブ（図示外）が構成されている。このロータリバルブは、入力軸１の回転に伴い前記トーションバーが捩られ、この捩れ量に伴って内部油路が開閉することにより、パワーシリンダ４に供給する作動油量が制御されるようになっている。
【００１５】
前記ラックハウジング３の内周側には、パワーシリンダ４のピストンロッドを兼ねるラック軸５が挿通配置され、該ラック軸５と対向するように前記図外の出力軸の先端部（下端部）が臨むような構成となっている。すなわち、このラックハウジング３内に収容されるラック軸５の軸方向範囲には図外のラック歯が創成されている一方、これに対向する前記出力軸の先端部には前記ラック歯に噛合する図外のピニオン歯が創成されていて、これらが噛合することで、ステアリングホイールからの回転入力がラック軸５の軸方向移動に変換されることとなる。
【００１６】
ここで、前記ラック軸５の両端部には、それぞれボールジョイント６，６を介してタイロッド７，７が連結され、さらにこれら各タイロッド７，７の外端部に連結される図外のナックルを介して図外の転舵輪と連係されている。
【００１７】
このような構成から、前記パワーステアリング装置では、前記ステアリングホイールの回転角に応じてラック軸５が軸方向移動することとなって、前記各タイロッド７，７を介して前記図外のナックルが左右に押し引きされることにより、前記図外の転舵輪の向きが変更されることとなる。
【００１８】
前記パワーシリンダ４は、図１及び図２に示すように、例えばアルミニウム合金材料や鉄系材料からなるほぼ筒状のシリンダチューブ１０の内周側にピストンロッドとしての前記ラック軸５が貫通状態に収容されていて、その一端がラックハウジング３に接続される一方、他端が筒状のエンドキャップ８により閉塞されている。そして、このシリンダチューブ１０の各端部内周には、それぞれラック軸５との間に一対のシール部材である第１シール部材１１及び第２シール部材１２が介装されていて、これら各シール部材１１，１２によって、当該各端部における前記両者５，１０間が液密にシールされている。
【００１９】
さらに、このようにして隔成された前記シリンダチューブ１０の内部空間は、前記両シール部材１１，１２間に、ラック軸５と一体移動するピストン１３が設けられていることで、一対の圧力室である図２中の右側の第１圧力室Ｐ１と、同図中の左側の第２圧力室Ｐ２と、の二つの圧力室に隔成されている。そして、この隔成された第１、第２圧力室Ｐ１，Ｐ２には、それぞれギヤハウジング２に接続された一対の第１配管９ａ及び第２配管９ｂを介して作動油圧が選択的に給排され、該作動油圧の差圧がピストン１３に作用することでラック軸５に推進力が付与されることとなり、これによって、該ラック軸５の軸方向移動がアシストされる。
【００２０】
前記第１、第２シール部材１１，１２は、図２及び図３に示すように、いわゆるＮＢＲ（ニトリルゴム）によってラック軸５の外周を包囲するような円環状を呈し、いずれも、内部に芯材（補強環）が埋設されてなる取付基部１１ａ，１２ａを介してシリンダチューブ１０の内周面に圧入固定されている。
【００２１】
具体的には、前記第１シール部材１１は、シリンダチューブ１０の一端側に設けられた第１シール保持部２１に収容保持されている。この第１シール保持部２１は、第１シール部材１１の取付基部１１ａを圧入固定可能な内径に設定されたシール固定部２１ａと、該シール固定部２１ａに対し段差縮径状に形成され、後記のフリクションリップ１１ｃを、その移動を妨げることがないように構成されたリップ収容部２１ｂと、該リップ収容部２１ｂと前記シール固定部２１ａの間に当該シール固定部２１ａに対しほぼ垂直に設けられた段部２１ｃと、を有していて、前記取付基部１１ａの外側面を段部２１ｃの側面に突き当てるかたちで当該取付基部１１ａを前記シール固定部２１ａに圧入することによって、第１シール部材１１が第１シール保持部２１にて取付固定される。すなわち、この第１シール部材１１は、第１シール保持部２１の段部２１ｃにより軸方向外側への移動が規制され、第１圧力室Ｐ１の内圧により軸方向内側への移動が規制されることとなる。
【００２２】
一方、前記第２シール部材１２は、シリンダチューブ１０の他端側に設けられた大径状のエンドキャップ収容部１０ａ内にて当該シリンダチューブ１０の内周面とエンドキャップ８の先端部によって構成される第２シール保持部２２に収容保持されている。すなわち、この第２シール保持部２２は、前記エンドキャップ収容部１０ａの内周面によって構成され、第２シール部材１２の取付基部１２ａを圧入固定可能な内径に設定されたシール固定部２２ａと、エンドキャップ８の先端部に凹状に穿設されることによって前記シール固定部２２ａに対し段差縮径状に形成され、後記のフリクションリップ１２ｃを、その移動を妨げることが内容に構成されたリップ収容部２２ｂと、該リップ収容部２２ｂと前記シール固定部２２ａの間に当該シール固定部２２ａに対しほぼ垂直に設けられ、エンドキャップ８先端面により構成される段部２２ｃと、を有していて、前記取付基部１２ａの外側面を段部２２ｃの側面に突き当てるかたちで当該取付基部１２ａを前記シール固定部２２ａに圧入することによって、第２シール部材１２が第２シール保持部２２にて取付固定される。すなわち、この２１シール部材１２は、第２シール保持部２２の段部２２ｃにより軸方向外側への移動が規制され、第２圧力室Ｐ２の内圧により軸方向内側への移動が規制されることとなる。
【００２３】
そして、前記第１、第２シール部材１１，１２は、前記各取付基部１１ａ，１２ａの内周部内側に、それぞれ各先端部がラック軸５外周面に摺接（弾接）することにより前記各圧力室Ｐ１，Ｐ２内の作動油を液密にシールするシールリップ１１ｂ，１２ｂが軸方向内側に延設されている。これら各シールリップ１１ｂ，１２ｂは、各外周部に配設された環状の付勢部材を介して内周側へと付勢され、ラック軸５外周面に形成された油膜を除去しない程度の所定の滲出量を確保し得る付勢力をもって当該ラック軸５に弾接する構成となっている。
【００２４】
さらに、前記第１、第２シール部材１１，１２には、前記取付基部１１ａ，１２ａの内周部外側に、各先端部がラック軸５外周面に摺接（圧接）することにより当該ラック軸５に対して摺動抵抗（摩擦抵抗）を付与する摺動抵抗付与手段であるフリクションリップ１１ｃ，１２ｃが軸方向外側に延設されている。これら各フリクションリップ１１ｃ，１２ｃは、自身の復元力をもってラック軸５外周面と圧接可能に設けられ、外部（転舵輪）から入力される振動を抑制するのに十分な押圧力をもってラック軸５に圧接する構成となっている。
【００２５】
また、前記第１、第２シール部材１１，１２には、前記各シールリップ１１ｂ，１２ｂと前記各フリクションリップ１１ｃ，１２ｃとの軸方向間に、環状の第１空間部Ｓ１及び第２空間部Ｓ２が隔成されていて、当該各空間部Ｓ１，Ｓ２内には前記各フリクションリップ１１ｃ，１２ｃの先端部の潤滑に供するグリス２０が収容保持されている。
【００２６】
以上のように、前記パワーステアリング装置では、前記各シール部材１１，１２のフリクションリップ１１ｃ，１２ｃによりラック軸５に摺動抵抗を付与する構成となっていることから、転舵輪から振動等の微小な外力が入力された場合、かかる外力は転舵輪からラック軸５に伝達された後、当該ラック軸５において前記各フリクションリップ１１ｃ，１２ｃにより付与される摺動抵抗をもって低減又は吸収することができ、前記転舵輪からラック軸５に伝達された外力が前記各軸１，２を介し運転者へとダイレクトに伝達される不都合を抑制することが可能となる。
【００２７】
一方、かかる構成としたことで、ステアリングホイールから運転者が操舵力を入力する際には、当該パワーシリンダ４において発生する操舵アシスト力によって前記摺動抵抗を打ち消すことができるため、前記各フリクションリップ１１ｃ，１２ｃによる摺動抵抗が運転者の負担になってしまうおそれもない。
【００２８】
このように、本発明に係るパワーステアリング装置によれば、前記ラック軸５と前記各フリクションリップ１１ｃ，１２ｃとの摺接をもって当該ラック軸５に摺動抵抗を付与する構成としたことで、前記転舵輪からの外部入力に対しては当該摺動抵抗が有効に作用する一方、運転者によるステアリングホイールからの内部入力に対してはパワーシリンダ４の作動油圧（前記パワーシリンダ４で発生する操舵アシスト力）をもって当該摺動抵抗を相殺することができ、運転者の操舵感を損なってしまうおそれがない。換言すれば、運転者の操舵感を損なうことなく、前記転舵輪からの外部入力の抑制を図ることができる。
【００２９】
なお、従来では、前述のように入力軸１に摺動抵抗を付与する方法のほか、本発明のように摺動抵抗付与手段をラック軸５側に設ける方法としていわゆるラックリテーナ（図示外）の付勢力を調整することによって前記転舵輪からの外部入力を抑制するといった方法も採られていたが、当該方法の場合は、出力軸２（ピニオン歯）とラック軸５（ラック歯）との噛合性を悪化させてしまうこととなり、この結果、運転者の負担を増大させてしまうといった問題を招来してしまっていた。
【００３０】
また、本発明に係るパワーステアリング装置の場合は、前記各シールリップ１１ｂ，１２ｂと前記各フリクションリップ１１ｃ，１２ｃの間に隔成される空間部Ｓ１，Ｓ２にグリス２０を保持させる構成としたため、当該グリス２０によって、ラック軸５に圧接する前記各フリクションリップ１１ｃ，１２ｃの先端部の摩耗や、当該各フリクションリップ１１ｃ，１２ｃの圧接に伴う異音の発生を抑制することもできる。すなわち、かかるグリス２０の封入を可能にしたことで、前記各フリクションリップ１１ｃ，１２ｃによる摺動抵抗付与に伴う不具合の抑制が可能となり、当該各フリクションリップ１１ｃ，１２ｃによる摺動抵抗付与の実効を図ることができる。
【００３１】
さらに、本実施形態では、前記各フリクションリップ１１ｃ，１２ｃを前記各シール部材１１，１２と一体に構成したことによって、当該各フリクションリップ１１ｃ，１２ｃの追加による部品の増加を伴うことがないため、装置の生産性の低下を招来してしまうおそれがなく、製造コストの増大化も最小限に抑えることができる。
【００３２】
図４及び図５は本発明に係るパワーステアリング装置の第２実施形態を示し、前記第１実施形態における本発明に係る摺動抵抗付与手段の構成を変更したものである。なお、その他の基本的な構成については前記第１実施形態と同様であることから、便宜上、前記第１実施形態と同様の符号を付し、具体的な説明は省略する。
【００３３】
すなわち、本実施形態では、前記第１実施形態で第１、第２シール部材１１，１２として一体に設けられていたフリクションリップ１１ｃ，１２ｃが、当該各シール部材１１，１２とは別体の摺動抵抗付与部材である第１、第２フリクション部材３１，３２として構成され、当該各シール部材１１，１２の軸方向外側に隣接配置されている。
【００３４】
より具体的に説明すれば、前記第１、第２フリクション部材３１，３２は、前記各シール部材１１，１２と同様のＮＢＲによって成型されているものの、とりわけ低温時のシール性に優れた特性を有するＮＢＲからなる前記各シール部材１１，１２とは異なり、耐摩擦性に優れた特性を有するＮＢＲにより成型されている。そして、これら第１、第２フリクション部材３１，３２は、環状に形成された大径状の取付基部３１ａ，３２ａが前記各段部２１ｃ，２２ｃの内周縁に切欠形成された第１、第２取付溝２１ｄ，２２ｄに嵌着されることで取付固定され、その内周部外側に延設された前記各フリクションリップ１１ｃ，１２ｃと同様のフリクションリップ３１ｂ，３２ｂの先端部がラック軸５外周面と圧接することで当該ラック軸５に摺動抵抗が付与されるようになっている。
【００３５】
ここで、本実施形態では、前記各取付基部３１ａ，３２ａの軸方向幅Ｌ１，Ｌ２が前記各取付溝２１ｄ，２２ｄの軸方向幅Ｄ１，Ｄ２よりも僅かに小さくなるように設定されていて、前記各取付基部３１ａ，３２ａが、前記各シール部材１１，１２とエンドキャップ８との間にて常に挟み込まれる（押圧される）ことがなく、前記各取付溝２１ｄ，２２ｄ内に完全に収容される構成となっている。かかる構成とすることで、前記各フリクション部材３１，３２（前記各フリクションリップ３１ｂ，３２ｂ）の弾性特性を変化させることなく、前記各フリクションリップ３１ｂ，３２ｂによる安定した摺動抵抗が得られるようになっている。
【００３６】
また、前記各シール部材１１，１２と前記各フリクション部材３１，３２との軸方向間には、前記第１実施形態と同様に、環状の空間部Ｓ１，Ｓ２が隔成され、該各空間部Ｓ１，Ｓ２内にはグリス２０が収容保持されていて、ラック軸５に圧接する前記各フリクション部材３１，３２の先端部の摩耗の低減や、当該圧接に伴う異音発生の抑制等を図ることが可能となっている。
【００３７】
以上のことから、本実施形態に係るパワーステアリング装置では、前記第１実施形態と同様の作用効果が奏せられることは勿論、とりわけ、前記各シール部材１１，１２と前記各フリクション部材３１，３２とを別体に構成したことによって、前記各シール部材１１，１２と前記各フリクション部材３１，３２とをそれぞれ別異の材料や配合をもって成型することができるため、前記第１実施形態と比べ、前記各シール部材１１，１２ないし前記各フリクション部材３１，３２にて、それぞれの機能に適した特性を持たせることが可能となる。
【００３８】
図６及び図７は本発明に係るパワーステアリング装置の第３実施形態を示し、前記第２実施形態に係るフリクション部材３１，３２の構成を変更したものである。なお、その他の基本的な構成については前記第２実施形態と同様であることから、便宜上、前記第２実施形態と同様の符号を付し、具体的な説明は省略する。
【００３９】
すなわち、本実施形態では、前記各フリクション部材３１，３２において、前記各取付基部３１ａ，３２ａと前記各フリクションリップ３１ｂ，３２ｂとが別異の材料によって形成されていて、前記各取付基部３１ａ，３２ａが硬質樹脂、前記各フリクションリップ３１ｂ，３２ｂが前述したような耐摩耗性に特化したＮＢＲによって成型されている。なお、この際、前記各取付基部３１ａ，３２ａについては、前記各フリクションリップ３１ｂ，３２ｂよりも硬い材質で形成されていればよく、前記硬質樹脂材に限定されるものではない。
【００４０】
そして、かかる構成から、本実施形態では、前記各フリクション部材３１，３２が、前記各取付基部３１ａ，３２ａを、前記各取付溝２１ｄ，２２ｄではなく、前記各シール部材１１，１２（前記各補強環）と前記各段部２１ｃ，２２ｃとの間で挟持させるかたちで取付固定されるようになっている。
【００４１】
したがって、本実施形態においても前記第２実施形態と同様の作用効果が奏せられることは勿論、本実施形態の場合には、とりわけ前記各取付基部３１ａ，３２ａを硬質に形成し前記各シール部材１１，１２（前記各補強環）と前記各段部２１ｃ，２２ｃとの間で挟持する構成としたことで、前記各フリクション部材３１，３２の取付剛性が高められ、前記各フリクション部材３１，３２による摺動抵抗をより適確に付与することが可能となり、前記外部入力抑制効果のさらなる向上に供される。
【００４２】
本発明は、前記各実施形態の構成に限定されるものではなく、例えば前記各シール部材１１，１２に係るフリクションリップ１１ｃ，１２ｃないし前記各フリクション部材３１，３２、４１，４２については、前記パワーシリンダ４の両端側に対をなして設ける場合のほか、一端側ないし他端側の一方側に配置する構成とすることも可能であり、かかる場合であっても、前記各実施形態のような外部入力抑制作用を得ることができる。
【００４３】
また、前記各シール部材１１，１２や前記各フリクション部材３１，３２の材質、形状についても、パワーステアリング装置（パワーシリンダ４）の仕様等に応じて自由に変更することができる。例えば、前記第１実施形態においては、前記各フリクションリップ１１ｃ，１２ｃを含め前記各シール部材１１，１２全体を同じ材質で形成することとしたが、当該各シール部材１１，１２の生産性やコストよりも前記各フリクションリップ１１ｃ，１２ｃの性能を重視する場合には、前記各シール部材１１，１２を２度成型することによって、前記各フリクションリップ１１ｃ，１２ｃを前記各シール部材１１，１２本体（前記各取付基部１１ａ，１２ａ等）とは別異の材質で構成することも可能である。
【００４４】
以下、前記各実施形態から把握される特許請求の範囲に記載した以外の技術的思想について説明する。
【００４５】
（ａ）請求項１に記載のパワーステアリング装置において、
前記第１シール部材ないし第２シール部材と前記摺動抵抗付与手段とは別体に構成され、
前記摺動抵抗付与手段は、その基部が前記シリンダチューブの内周部に設けられた取付溝に嵌着されることで前記シリンダチューブ内に保持されることを特徴とするパワーステアリング装置。
【００４６】
このように、前記摺動抵抗付与手段（取付基部）を自由状態で保持する構成とすることで、前記摺動抵抗付与手段全体を弾性材で成型した場合でも、当該摺動抵抗付与手段の弾性特性が変化してしまう不具合を回避することが可能となり、前記摺動抵抗付与手段による安定した外部入力抑制効果が得られることとなる。
【００４７】
（ｂ）請求項１に記載のパワーステアリング装置において、
前記第１シール部材ないし第２シール部材と前記摺動抵抗付与手段とは別体に構成され、
前記摺動抵抗付与手段は、その基部が前記フリクションリップよりも硬質な別異の材料で形成され、当該基部を前記第１シール部材ないし第２シール部材と前記シリンダチューブとの間に挟持されることで前記シリンダチューブ内に保持されることを特徴とするパワーステアリング装置。
【００４８】
かかる構成とすることにより、前記摺動抵抗付与手段の取付剛性が高められ、当該摺動抵抗付与手段による摺動抵抗をより適確に付与することが可能となり、前記外部入力抑制効果のさらなる向上に供される。
【００４９】
（ｃ）請求項１又は前記（ａ）若しくは（ｂ）に記載のパワーステアリング装置において、
前記摺動抵抗付与手段は、前記シリンダチューブの両端側に設けられていることを特徴とするパワーステアリング装置。
【００５０】
このように、前記摺動抵抗付与手段をシリンダチューブ両端側に設けることで、当該摺動抵抗付与手段によって付与される摺動抵抗を高めることが可能となり、前記外部入力抑制効果のさらなる向上に供される。
【符号の説明】
【００５１】
４…パワーシリンダ
５…ラック軸（ピストンロッド）
１０…シリンダチューブ
１１…第１シール部材
１１ｂ…シールリップ
１１ｃ…フリクションリップ（摺動抵抗付与手段）
１２…第２シール部材
１２ｂ…シールリップ
１２ｃ…フリクションリップ（摺動抵抗付与手段）
１３…ピストン
２０…グリス
Ｐ１…第１圧力室（一方の圧力室）
Ｐ２…第２圧力室（他方の圧力室）
【図１】
2012218541.tif 000003
【図２】
2012218541.tif 000004
【図３】
2012218541.tif 000005
【図４】
2012218541.tif 000006
【図５】
2012218541.tif 000007
【図６】
2012218541.tif 000008
【図７】
2012218541.tif 000009